(57)【要約】【課題】各無線基地局との距離の違いにより発生するデータの欠損や衝突を抑え得る中継装置の提供。【解決手段】中継装置は、複数の基地局のうちの各々が端末に送付する第一信号に係る無線電波の受信と、前記端末が送付した第二信号に係る無線電波の前記複数の基地局の少なくともいずれかに向けての放出とを行い、前記第一信号の受信がないことを判定した期間の開始及び終了の各々を所定の時間だけ遅らせた期間である第二期間の一部又は全部である第三期間を指定する制御信号である第一制御信号を出力し、前記第一信号に係る無線電波の前記端末に向けての放出と、前記端末が放出する前記第二信号に係る無線電波の受信とを切替え、前記第四無線電波を受信する期間を、前記第一制御信号により、前記第三期間に設定する。【選択図】      図１
2019050518.tif 000002
【特許請求の範囲】
【請求項１】
複数の基地局のうちの各々が端末に送付する第一信号に係る無線電波である第一無線電波の受信と、前記端末が送付した第二信号に係る無線電波である第二無線電波の前記複数の基地局の少なくともいずれかに向けての放出とを行う、第一通信部と、
前記第一信号の受信がないことを判定した期間である第一期間の開始及び終了の各々を所定の時間だけ遅らせた期間である第二期間の一部又は全部である第三期間を指定する制御信号である第一制御信号を出力する制御部と、
前記第一信号に係る無線電波である第三無線電波の前記端末に向けての放出と、前記端末が放出する前記第二信号に係る無線電波である第四無線電波の受信とを切替え、前記第四無線電波を受信する期間を、前記第一制御信号により、前記第三期間に設定する、第二通信部と、
を備える、中継装置。
【請求項２】
前記所定の時間が、前記第一通信部、前記制御部及び前記第二通信部の少なくともいずれかにおける前記第一信号及び前記第二信号の少なくともいずれかに係る処理による遅延を反映した時間である、請求項１に記載された中継装置。
【請求項３】
前記第一通信部が、前記第一無線電波を変換した電気信号を前記制御部に送付し、前記制御部は、前記電気信号の送付により、前記第一信号の受信の有無を判定する、請求項１又は請求項２に記載された中継装置。
【請求項４】
前記第一制御信号が、前記制御部から前記第二通信部に、光信号により送付される、請求項１乃至請求項３のうちのいずれか一に記載された中継装置。
【請求項５】
前記第一制御信号が、前記第一信号に重畳された光信号により送付される、請求項４に記載された中継装置。
【請求項６】
前記複数の基地局の各々が前記第一通信部との間で行う通信に割り当てられた周波数帯域が互いに異なっている、請求項１乃至請求項５のうちのいずれか一に記載された中継装置。
【請求項７】
複数の前記第二通信部を備える、請求項１乃至請求項６のうちのいずれか一に記載された中継装置。
【請求項８】
前記制御部が、前記第一期間の全部又は一部である第四期間を指定する制御信号である第二制御信号を出力し、前記第一通信部は、前記第二制御信号により、前記第四期間に限り、前記第二無線電波の放出を行う、請求項１乃至請求項７のうちのいずれか一に記載された中継装置。
【請求項９】
複数の前記第一通信部を備える、請求項１乃至請求項８のうちのいずれか一に記載された中継装置。
【請求項１０】
前記第一通信部の各々が、前記複数の基地局に割り当てられた周波数帯域に対応しており、前記第一通信部の各々が、前記複数の基地局に割り当てられた周波数帯域の前記第一無線電波に係る前記第一信号を前記制御部に送付する、請求項９に記載された中継装置。
【発明の詳細な説明】
【技術分野】
【０００１】
本発明は、複数の通信装置間で行われる情報の中継を行う装置に関する。
【背景技術】
【０００２】
ＴＤＤ無線方式におけるマルチキャリアのＤＡＳを構成する場合、専用の無線基地局を新たに設置する方法が開示されている（特許文献１参照）。ここで、ＴＤＤは、Ｔｉｍｅ  Ｄｉｖｉｓｉｏｎ  Ｄｕｐｌｅｘの略である。また、ＤＡＳは、Ｄｉｓｔｒｉｂｕｔｅｄ  Ａｎｔｅｎｎａ  Ｓｙｓｔｅｍの略である。
【０００３】
しかしながら、専用の無線基地局を新たに設置した場合、設置コストが必要になることや、無線基地局の設置場所の確保などの問題がある。この問題を解決するためには、一般的なリピータを流用することが考えられる。
【先行技術文献】
【特許文献】
【０００４】
【特許文献１】特開２０１６−１２７３８４号公報
【発明の概要】
【発明が解決しようとする課題】
【０００５】
しかしながら、一般的なリピータを流用した場合には、リピータと各無線基地局との距離の違いにより遅延時間の差が生じることから、送信及び受信を行うべきタイミングが基地局ごとに異なる。そのため、一般的なリピータを流用した場合には、データの衝突による欠損が生じ得る。
【０００６】
本発明は、各無線基地局との距離の違いにより発生するデータの欠損の衝突による欠損を抑え得る中継装置の提供を目的とする。
【課題を解決するための手段】
【０００７】
本発明の中継装置は、複数の基地局のうちの各々が端末に送付する第一信号に係る無線電波である第一無線電波の受信と、前記端末が送付した第二信号に係る無線電波である第二無線電波の前記複数の基地局の少なくともいずれかに向けての放出とを行う、第一通信部と、前記第一信号の受信がないことを判定した期間である第一期間の開始及び終了の各々を所定の時間だけ遅らせた期間である第二期間の一部又は全部である第三期間を指定する制御信号である第一制御信号を出力する制御部と、前記第一信号に係る無線電波である第三無線電波の前記端末に向けての放出と、前記端末が放出する前記第二信号に係る無線電波である第四無線電波の受信とを切替え、前記第四無線電波を受信する期間を、前記第一制御信号により、前記第三期間に設定する、第二通信部と、を備える。
【発明の効果】
【０００８】
本発明の中継装置は、各無線基地局との距離の違いにより発生するデータの衝突による欠損を抑え得る。
【図面の簡単な説明】
【０００９】
【図１】第一実施形態のＤＡＳ（Ｄｉｓｔｒｉｂｕｔｅｄ  Ａｎｔｅｎｎａ  Ｓｙｓｔｅｍ）を適用し得る通信システムの構成例を表す概念図である。
【図２】第一実施形態のリピータの構成例を表す概念図である。
【図３】第一実施形態の親機の構成例を表す概念図である。
【図４】親機の光電変換部の構成例を表す概念図である。
【図５】子機の構成例を表す概念図である。
【図６】子機の光電変換部の構成例を表す概念図である。
【図７】Ｄｕｐｌｅｘｅｒ部の構成例を表す概念図である。
【図８】各サブフレームと、リピータ及び各子機におけるＤＬ（Ｄｏｗｎ  Ｌｉｎｋ）期間とＵＬ（Ｕｐ  Ｌｉｎｋ）期間との切替え処理のタイミングとの関係を表す図である。
【図９】第二実施形態の通信システムの構成例を表す概念図である。
【図１０】第二実施形態のリピータの構成例を表す概念図である。
【図１１】第二実施形態の親機の構成例を表す概念図である。
【図１２】実施形態の中継装置の最小限の構成を表すブロック図である。
【発明を実施するための形態】
【００１０】
＜第一実施形態＞
第一実施形態は、ＤＬ信号を周波数帯域により分離するフィルタ部を親機が備えるＤＡＳ（Ｄｉｓｔｒｉｂｕｔｅｄ  Ａｎｔｅｎｎａ  Ｓｙｓｔｅｍ）に関する実施形態である。なお、以下の説明において、各基地局から各端末への信号の流れを「ＤＬ」ということにする。ＤＬは、Ｄｏｗｎ  Ｌｉｎｋの略である。また、各端末から各基地局への信号の流れを「ＵＬ」ということにする。ＵＬは、Ｕｐ  Ｌｉｎｋの略である。
［構成と動作］
図１は、第一実施形態のＤＡＳを適用し得る通信システムの例である、通信システム９００の構成を表す概念図である。
【００１１】
通信システム９００は、Ｚ台の基地局である基地局１０１乃至１０Ｚと、第一実施形態のＤＡＳの例であるＤＡＳ３００と、複数の通信端末からなる端末群５５１とを備える。以下、基地局１０１乃至１０Ｚの各々を「各基地局」ということにする。
【００１２】
各基地局が通信（ＵＬ及びＤＬ）に用いるキャリアの周波数帯域は、互いに異なっている。なお、本実施形態においては、複数の基地局からＤＡＳ３００に対し、ＤＡＳ３００に向けての無線電波は同時には送信されないことを仮定する。
【００１３】
ＤＡＳ３００は、リピータ２０１と、親機３０１と、Ｎ台の子機４０１乃至４０Ｎと、Ｎ台のアンテナ５０１乃至５０Ｎとを備える。
【００１４】
リピータ２０１は、ＤＡＳ３００が備える第一の通信部である。また各子機と対応する各アンテナとの組合せは、ＤＡＳ３００が備える第二の通信部である。
【００１５】
リピータ２０１は、リピータ２０１が備える図示しないアンテナに到達したＤＬ無線電波をＤＬ電気信号に変換する。そして、リピータ２０１は、前記ＤＬ電気信号に対し所定の処理を行い、処理後のＤＬ電気信号を生成する。そして、リピータ２０１は、処理後の前記ＤＬ電気信号を、親機３０１に送付する。
【００１６】
リピータ２０１は、また、親機が送付するＵＬ電気信号に対し、親機３０１が指定するＵＬのタイミングに限り所定の処理を行い、無線電波に変換する。リピータ２０１は、当該無線電波を周囲の無線空間に放出する。当該無線電波は、基地局１０１乃至１０Ｚに到達することが想定されている。
【００１７】
親機３０１は、リピータ２０１から送付されたＤＬ電気信号を周波数帯域ごとに分離する。当該周波数帯域は各基地局が行う通信に割り当てられた周波数帯域である。
【００１８】
親機３０１は、周波数帯域ごとに、ＤＬ電気信号を受けているか否かを判定する。当該判定結果には、各基地局とＤＡＳ３００との間で生じる距離遅延の影響が反映されている。当該距離遅延は、各基地局とＤＡＳ３００との距離の差により生ずる無線電波の到達時刻の遅延である。
【００１９】
そして、親機３０１は、周波数帯域ごとの、ＤＬ電気信号を受けているか否かの判定結果を表す信号に基づいて、リピータ２０１におけるＤＬ期間とＵＬ期間との切替えを指示する制御信号である第二制御信号を、リピータ２０１に送付する。
【００２０】
当該第二制御信号は、例えば、ＤＬ期間になった旨を表す制御信号Ｓｄ１と、ＵＬ期間になった旨を表す制御信号Ｓｕ１とからなる。その場合、リピータ２０１は、親機３０１からの制御信号Ｓｄ１の送付により、ＵＬ無線電波の出力は行わない。リピータ２０１は、また、親機３０１からの制御信号Ｓｕ１の送付によりＵＬ無線電波の出力を行う。リピータ２０１は同様な動作を交互に繰り返す。
【００２１】
親機３０１は、また、周波数帯域ごとのＤＬ信号を受けているか否かの判定結果に基づいて、子機４０１乃至４０Ｎの各々（各子機）におけるＤＬ期間やＵＬ期間を指定する制御信号である第一信号を、各子機に送付する。
【００２２】
当該第一制御信号は、例えば、ＤＬ期間である旨を表す制御信号Ｓｄ２と、ＵＬ期間である旨を表す制御信号Ｓｕ２とからなる。制御信号Ｓｄ２及びＳｕ２の各々は、前述の制御信号Ｓｄ１及びＳｕ１の各々を送るタイミングに、親機３０１及び各子機における処理に要する時間（処理遅延）だけ遅れたタイミングで、各子機に送付される。
【００２３】
各子機は、各アンテナから送付された電気信号に所定の処理を行った信号であるＵＬ電気信号を、親機３０１が指定するＵＬ期間に限り、親機３０１に送付する。
【００２４】
各アンテナは、無線空間を通じて到達したＵＬ無線電波をＵＬ電気信号に変換し、対応する各子機に送付する。当該ＵＬ無線電波は、端末群５５１の各々が放出した無線電波である。
【００２５】
各アンテナは、また、子機から送付されたＤＬ電気信号をＤＬ無線電波に変換し、無線空間に放出する。
【００２６】
図２は、図１に表すリピータ２０１の例であるリピータ２０１ａの構成を表す概念図である。
【００２７】
リピータ２０１ａは、アンテナ２０６と処理部２１１ａ及び２１１ｂと、スイッチ２１６ａとを備える。
【００２８】
アンテナ２０６は、到達した無線電波を電気信号に変換する。当該電気信号は、処理部２１１ｂに到達する。
【００２９】
アンテナ２０６は、また、処理部２１１ａから受けたＵＬ電気信号をＵＬ無線電波に変換する。そして、アンテナ２０６は、当該ＵＬ無線電波を、無線空間に放出する。
【００３０】
処理部２１１ａは、スイッチ２１６ａの端子Ｂから入力されたＵＬ電気信号に対して増幅等の処理を行う。処理部２１１ａは、当該処理後のＵＬの電気信号を、アンテナ２０６に入力する。
【００３１】
処理部２１１ｂは、アンテナ２０６から送付されたＤＬ電気信号に増幅等の処理を行う。処理後のＤＬ電気信号は、親機３０１に入力される。親機３０１における当該入力部分は、親機３０１が図３を参照して後述する親機３０１ａである場合には、図３に表すフィルタ部３０６である。
【００３２】
スイッチ２１６ａの端子Ａは、親機３０１に接続されている。親機３０１における端子Ａの接続部分は、親機３０１が図３を参照して後述する親機３０１ａである場合には、図３に表すＭＩＸ部３１１である。
【００３３】
スイッチ２１６ａの端子Ｃは、親機３０１に接続されている。親機３０１における端子Ｃの接続部分は、親機３０１が図３を参照して後述する親機３０１ａである場合には、図３に表す制御部３３６である。
【００３４】
スイッチ２１６ａは、親機３０１から端子ＣにＵＬ期間である旨を表す制御信号Ｓｕ１が入力されている場合は、端子Ａと端子Ｃとを導通させる。これにより、スイッチ２１６ａは、親機３０１から処理部２１１ａへの前記ＵＬ電気信号の送付を可能にする。
【００３５】
スイッチ２１６ａは、親機３０１から端子ＣにＤＬ期間である旨を表す制御信号Ｓｄ１が入力されている場合は、端子Ａと端子Ｃとを絶縁させる。これにより、スイッチ２１６ａは、親機３０１から処理部２１１ａへの電気信号の送付を不能にする。
【００３６】
スイッチ２１６ａは、例えば、電界効果トランジスタを備える構成である。
【００３７】
図３は、図１に表す親機３０１の例である親機３０１ａの構成を表す概念図である。
【００３８】
親機３０１ａは、フィルタ部３０６と、ＭＩＸ部３１１及び３１２と、Ｚ個の受信検知部である受信検知部３３１乃至３３Ｚと、制御部３３６と、Ｎ個の光電変換部である光電変換部３２１乃至３２Ｎと、Ａ／Ｄ変換部３４１とを備える。ここで、Ａ／Ｄは、アナログ／デジタルを意味する。また、Ｚは、図１に表す基地局の数と等しい数である。
【００３９】
フィルタ部３０６は図１に表すリピータ２０１に接続されている。リピータ２０１における当該接続部分は、リピータ２０１が図２に表すリピータ２０１ａの場合には、図２に表す処理部２１１ｂである。
【００４０】
フィルタ部３０６は、リピータ２０１から送付されたＤＬ電気信号を周波数帯域ごとに分離する。当該周波数帯域は、前述のように、図１に表す基地局１０１乃至１０Ｚの各々に割り当てられた周波数帯域である。フィルタ部３０６は、分離した、周波数帯域ごとのＤＬ電気信号を、各周波数帯域に対応する受信検知部３３１乃至３３Ｚの各々に送付する。受信検知部３３１乃至３３Ｚの各々（各受信検知部）には、この順に、図１に表す基地局１０１乃至１０Ｚの各々に対応する周波数帯域のＤＬ電気信号が入力される。
【００４１】
各受信検知部は、継続的に、ＤＬ電気信号が入力されているか否かを判定し、判定結果を制御部３３６に入力する。
【００４２】
制御部３３６は、各受信検知部から入力された、ＤＬ電気信号が入力されているか否かの判定結果により、リピータ２０１及び各子機におけるＤＬ期間とＵＬ期間を設定する。
【００４３】
当該ＤＬ期間は、リピータ２０１に関しては、いずれかの受信検知部がＤＬ電気信号を受けている期間である。また、当該ＵＬ期間は、リピータ２０１に関しては、いずれの受信検知部もＤＬ電気信号を受けていない期間である。
【００４４】
また、当該ＤＬ期間は、各子機に関しては、リピータ２０１に関するＤＬ期間を、親機３０１ａ及び各子機における処理による遅延時間（処理遅延）だけ遅れる方向にずらした期間である。また、当該ＵＬ期間は、各子機に関しては、例えば、リピータ２０１に関するＵＬ期間を、処理遅延だけ遅れる方向にずらした期間である。当該処理遅延を、例えば、実際に運用してＵＬ／ＤＬデータの欠損の生じない値を経験等により予め定めておく。あるいは、当該処理遅延を、遅延測定回路を設けて測定しても構わない。当該測定方法は、例えば、制御部３３６が図５を参照して後述するＤｕｐｌｅｘｅｒ部４２１に送付した参照信号をＤｕｐｌｅｘｅｒ部４２１にループバックさせ、制御部３３６に戻るまでの時間から遅延を導出する方法である。
【００４５】
制御部３３６は、リピータ２０１用に設定したＤＬ期間及びＵＬ期間により、リピータ２０１に対し、前述の制御信号Ｓｄ１及びＳｕ１を送付する。制御部３３６は、また、各子機用に設定したＤＬ期間及びＵＬ期間により、各子機に対し、前述の制御信号Ｓｄ２及びＳｕ２を送付する。各子機への制御信号Ｓｄ２及びＳｕ２の送付は、後述のように、光電変換部３２１乃至３２Ｎの各々を介して行われる。
【００４６】
フィルタ部３０６により周波数帯ごとに分離されたＤＬ電気信号は、ＭＩＸ部３１２にも入力される。
【００４７】
ＭＩＸ部３１２は、入力された、周波数帯ごとに分離されたＤＬ信号の各々を互いに合成した合成電気信号を生成する。ＭＩＸ部３１２は、生成した合成電気信号をＡ／Ｄ変換部３４１に送付する。
【００４８】
Ａ／Ｄ変換部３４１は、アナログのＤＬ電気信号である入力された合成ＤＬ信号をデジタルのＤＬ電気信号に変換する。Ａ／Ｄ変換部３４１は、変換後のデジタルのＤＬ電気信号を、光電変換部３２１乃至３２Ｎの各々（各光電変換部）に送付する。
【００４９】
各光電変換部は、入力されたデジタルのＤＬ電気信号をデジタルのＤＬ光信号に変換する。各光電変換部は、変換後のデジタルのＤＬ光信号を、光ファイバ３５１乃至３５Ｎの対応する各々（各光ファイバ）を通じて、対応する各子機に送付する。
【００５０】
各光電変換部は、また、制御部３３６から入力された制御信号Ｓｄ２及びＳｕ２を光制御信号に変換する。各光電変換部は、変換後の光制御信号を、光ファイバ３５１乃至３５Ｎの対応する各々（各光ファイバ）を通じて、対応する各子機に送付する。
【００５１】
各光電変換部は、対応する各光ファイバを通じて対応する各子機からデジタルのＵＬ光信号が送付された場合は、デジタルの当該光信号をデジタルのＵＬ電気信号に変換する。そして、各光電変換部は、変換後のデジタルのＵＬ電気信号を、ＭＩＸ部３１１に送付する。
【００５２】
ＭＩＸ部３１１は、各光電変換部から送付されたデジタルのＵＬ電気信号を合成する。ＭＩＸ部３１１は、合成後のデジタルのＵＬ電気信号を、図１に表すリピータ２０１に送付する。リピータ２０１における当該送付部分は、リピータ２０１が図２に表すリピータ２０１ａの場合は、スイッチ２１６ａの端子Ａである。
【００５３】
図４は、図３に表す光電変換部３２１乃至３２Ｎの各々の例である光電変換部３２０の構成を表す概念図である。
【００５４】
光電変換部３２０は、導光部３４６と、発光部３６６と、処理部３７１ａ及び３７１ｂと、重畳部３２６と、受光部３６１とを備える。
【００５５】
重畳部３２６は、図３に表す制御部３３６から端子Ｃに入力された制御信号Ｓｄ２及びＳｕ２と、端子Ａに入力されたＤＬ電気信号とを重畳し、重畳電気信号を生成する。生成された重畳電気信号は、端子Ｂを経由して、処理部３７１ａに入力される。
【００５６】
処理部３７１ａは、入力された重畳電気信号に対し出力調整等の処理を行い、処理後の信号を発光部３６６に入力する。
【００５７】
発光部３６６は、処理部３７１ａから入力された重畳電気信号を重畳光信号に変換する。変換された重畳光信号は導光部３４６に入力される。
【００５８】
導光部３４６は、発光部３６６から入力された重畳光信号を光ファイバ３５０に入力する。光ファイバ３５０は、図３に表す光ファイバ３５１乃至３５Ｎのうちの光電変換部３２０に対応するいずれかをいうこととする。光ファイバ３５０に入力された光信号は、子機４０１乃至４０Ｎのうちの光電変換部３２０に対応するいずれかに入力される。
【００５９】
導光部３４６は、また、光電変換部３２０に対応する子機から光ファイバ３５０を通じて入力された光信号を受光部３６１に入力する。
【００６０】
導光部３４６は例えば光サーキュレータである。
【００６１】
受光部３６１は、導光部３４６からＵＬ光信号が入力された場合には、当該ＵＬ光信号をＵＬ電気信号に変換する。変換後のＵＬ電気信号は処理部３７１ｂに入力される。
【００６２】
処理部３７１ｂは、入力されたＵＬ電気信号に対して出力調整等の処理を行う。処理後のＵＬ電気信号は、図３に表すＭＩＸ部３１１に入力される。
【００６３】
図５は、図１に表す子機４０１乃至４０Ｎの各々の例である子機４００の構成を表す概念図である。
【００６４】
子機４００は、光電変換部４０６と、ＴＸ処理部４１１と、Ａ／Ｄ変換部４１６と、Ｄｕｐｌｅｘｅｒ部４２１とを備える。
【００６５】
光電変換部４０６は、光ファイバ３５０を通じて図４に表す光電変換部３２０の導光部３４６から光信号が入力された場合には、当該光信号を重畳電気信号に変換する。変換された重畳電気信号は、ＴＸ処理部４１１及びＤｕｐｌｅｘｅｒ部４２１に入力される。当該重畳電気信号は、ＤＬ電気信号と図３に表す制御部３３６から光電変換部３２１を介して送付された制御信号Ｓｄ２及びＳｕ２とが重畳された信号である。
【００６６】
ＴＸ処理部４１１は、光電変換部４０６から入力された電気信号に対して信号レベル調整や波形整形等の処理を行う。当該処理により、光電変換部４０６から入力された電気信号から、制御信号Ｓｄ２及びＳｕ２が除去される。すなわち、処理後の電気信号は、ＤＬ電気信号である。処理後のＤＬ電気信号は、Ｄｕｐｌｅｘｅｒ部４２１に入力される。
【００６７】
Ｄｕｐｌｅｘｅｒ部４２１は、光電変換部４０６からＴＸ処理部４１１を介さずに入力されたＤＬ光信号から、図３に表す制御部３３６から送付された制御信号Ｓｕ２及びＳｄ２を抽出する。
【００６８】
Ｄｕｐｌｅｘｅｒ部４２１は、Ｔｘ処理部４１１から入力されたＤＬ電気信号に所定の処理を行う。処理後の信号はアンテナ５００に送付される。ここで、アンテナ５００は、図１に表すアンテナ５０１乃至５０Ｎのうちの子機４００に対応するものをいうこととする。
【００６９】
Ｄｕｐｌｅｘｅｒ部４２１は、抽出した制御信号が制御信号Ｓｄ２の場合は、アンテナ５００から入力されたＵＬ電気信号の進行を停止させる。
【００７０】
Ｄｕｐｌｅｘｅｒ部４２１は、抽出した制御信号が制御信号Ｓｕ２の場合は、アンテナ５００から入力されたＵＬ電気信号に所定の処理を行う。Ｄｕｐｌｅｘｅｒ部４２１は、処理後の信号をＡ／Ｄ変換部４１６に送付する。
【００７１】
Ａ／Ｄ変換部４１６は、Ｄｕｐｌｅｘｅｒ部４２１から送付されたアナログのＵＬ電気信号をデジタルのＵＬ電気信号に変換する。変換されたデジタルのＵＬ電気信号は、光電変換部４０６に送付される。
【００７２】
図６は、図５に表す光電変換部４０６の例である光電変換部４０６ａの構成を表す概念図である。
【００７３】
光電変換部４０６ａは、処理部４３１ａ及び４３１ｂと、受光部４３６と、発光部４４１と、導光部４４６とを備える。
【００７４】
導光部４４６は、光ファイバ３５０を通じて、光電変換部３２０の導光部３４６から送付された重畳光信号を受光部４３６に入力する。ここで、光ファイバ３５０は、図３に表す光ファイバ３５１乃至３５Ｎのうちの光電変換部４０６ａの属する子機に対応するいずれかである。また、当該重畳光信号は、ＤＬ信号と、図３に表す制御部３３６から光電変換部３２１を介して送付された制御信号Ｓｄ２及びＳｕ２とが重畳された光信号である。
【００７５】
導光部４４６は、また、発光部４４１から、ＵＬ光信号が入力された場合には、当該ＵＬ光信号を、光ファイバ３５０を通じて、図４に表す光電変換部３２０の導光部３４６に入力する。
【００７６】
受光部４３６は、導光部４４６から前記重畳光信号が入力された場合には、前記重畳光信号を重畳電気信号に変換する。変換された重畳電気信号は、処理部４３１ａに入力される。
【００７７】
処理部４３１ａは、受光部４３６から入力された前記重畳電気信号に対し、出力調整処理を行う。処理後の重畳電気信号は、図５に表すＴＸ処理部４１１及びＤｕｐｌｅｘｅｒ部４２１に入力される。
【００７８】
処理部４３１ｂは、図５に表すＡ／Ｄ変換部４１６から入力された、デジタルのＵＬ電気信号に対し出力調整処理を行う。処理後のデジタルのＵＬ電気信号は、発光部４４１に入力される。
【００７９】
発光部４４１は、処理部４３１ｂから入力されたデジタルのＵＬ電気信号をデジタルのＵＬ光信号に変換する。変換されたデジタルのＵＬ光信号は、導光部４４６に入力される。
【００８０】
図７は、図５に表すＤｕｐｌｅｘｅｒ部４２１の例であるＤｕｐｌｅｘｅｒ部４２１ａの構成を表す概念図である。
【００８１】
Ｄｕｐｌｅｘｅｒ部４２１ａは、処理部４５１ａ及び４５１ｂと、スイッチ４５６ｂと、信号分離部４６１とを備える。
【００８２】
信号分離部４６１には、図５に表す光電変換部４０６から前述の重畳電気信号が入力される。前述のように、当該重畳電気信号には、ＤＬ電気信号と、制御信号Ｓｄ２及びＳｕ２とが含まれる。制御信号Ｓｄ２及びＳｕ２は、図３に表す制御部３３６から、光電変換部３２１乃至３２ＮのうちのＤｕｐｌｅｘｅｒ部４２１ａの属する子機に対応するいずれかから送付されたものである。
【００８３】
信号分離部４６１は、入力された前記重畳電気信号からＤＬ電気信号を除去し、制御信号Ｓｄ２及びＳｕ２を抽出する。抽出された制御信号Ｓｄ２及びＳｕ２は、スイッチ４５６ｂの端子Ｌに入力される。
【００８４】
スイッチ４５６ｂは、端子Ｌに制御信号Ｓｄ２が入力されている間は、端子Ｌ−Ｋ間を絶縁させる。これにより、処理部４５１ｂから図５に表すＡ／Ｄ変換部４１６への電気信号の送付は不能になる。
【００８５】
一方、スイッチ４５６ｂは、端子Ｌに制御信号Ｓｕ２が入力されている間は、端子Ｌ−Ｋ間を導通させる。これにより、処理部４５１ｂから図５に表すＡ／Ｄ変換部４１６へのＵＬ電気信号の送付が可能になる。
【００８６】
スイッチ４５６ｂは、例えば電界効果トランジスタを備える構成である。
【００８７】
処理部４５１ａは、図５に表すＴＸ処理部４１１から入力されたＤＬ電気信号に対し出力調整等の処理を行う。処理後のＤＬ電気信号は図５に表すアンテナ５００に送付される。
【００８８】
処理部４５１ｂは、アンテナ５００から送付されたＵＬ電気信号に対し、出力調整等の処理を行う。処理後のＵＬ電気信号はスイッチ４５６ｂの端子Ｋに入力される。
【００８９】
以上、制御部３３６からの制御信号Ｓｄ２及びＳｕ２は、ＤＬ光信号に重畳した光信号として、光ファイバを通じて各子機に送付される例について説明した。しかしながら、ＤＬ光信号と制御信号Ｓｄ２及びＳｕ２に係る光信号とを、別の光ファイバを介して、親機から子機に送付しても構わない。
【００９０】
図８は、フレーム６０１の各サブフレームと、リピータ及び各子機におけるＤＬ期間とＵＬ期間との切替え処理のタイミングとの関係を表す図である。ここで、フレーム６０１は、図１に表す各基地局がＤＡＳ３００との間で行う通信に係るフレームの例である。
【００９１】
フレーム６０１は、ＤＬ用のサブフレーム６ＤＬと、スペース用のサブフレーム６ＳＦと、ＵＬ用のサブフレーム６ＵＬとの３つのサブフレームの組合せが繰り返す構成である。
【００９２】
ここで、スペース用のサブフレーム６ＳＦは、各基地局において、ＤＬ信号とＵＬ信号との衝突が生じないようにするために設けられたものである。特許文献１に開示があるように、各基地局は、当該衝突の防止のために、通信先の各端末に対し、ＵＬ用の信号の送付をサブフレーム６ＵＬの開始前に開始させる。その場合、各端末は、サブフレーム６ＳＦの期間を使って、ＵＬ用の信号を各基地局に対し送付する。
【００９３】
リピータ２０１における各サブフレームの開始タイミングは、各基地局における各サブフレームの開始タイミングより、距離遅延７０１だけ遅れる。距離遅延７０１は、各基地局とＤＡＳ３００との距離による遅延である。従い、各基地局とＤＡＳ３００との距離が異なると、距離遅延７０１は異なる値になる。
【００９４】
各子機における各サブフレームの開始タイミングは、各基地局における各サブフレームの開始タイミングより、距離遅延７０１に処理遅延７０６を加算した分だけ遅れる。処理遅延７０６は、リピータ２０１と各子機の間で行われる処理により生じる遅延である。処理遅延７０６は、各子機における処理時間にばらつきがない場合には、固定値であることを想定することができる。
【００９５】
図８に表す例では、基地局は、図に向かって左側のサブフレーム６ＤＬの開始とともにＤＬデータ６１１の送付を開始し、当該サブフレーム６ＤＬが終了しても所定の間はＤＬデータ６１１の送付を継続している。
【００９６】
ＤＬデータ６１１は、基地局が送付を開始したタイミングから距離遅延７０１だけ遅れたタイミングでリピータ２０１に到着する。ＤＬデータ６１１は、また、基地局が送付を終了したタイミングから距離遅延７０１だけ遅れたタイミングでリピータ２０１への到着が終了する。
【００９７】
ＤＬデータ６１１は、基地局が送付を開始したタイミングから距離遅延７０１に処理遅延７０６を加算した分だけ遅れたタイミングで各子機に到着する。ＤＬデータ６１１は、また、基地局が送付を終了したタイミングから距離遅延７０１に処理遅延７０６を加算した分だけ遅れたタイミングで各子機への到着が終了する。
【００９８】
図１に表す親機３０１は、リピータ２０１へのＤＬデータ６１１の到着の開始を検出する。ここで、リピータ２０１へのデータの到着と親機３０１へのそのデータの到着とでは時差が無視し得ることを仮定している。そして、親機３０１は、ＤＬデータ６１１の到着の開始の検出により、リピータ２０１に対し前述の制御信号Ｓｄ１を送付する。制御信号Ｓｄ１により、リピータ２０１は、ＤＬ電気信号を親機３０１に出力しＵＬ無線電波の出力は行わない。
【００９９】
親機３０１は、また、ＤＬデータ６１１の到着の開始のタイミングから処理遅延７０６だけ遅らせたタイミングで、各子機に対し、制御信号Ｓｄ２を送付する。制御信号Ｓｄ１により、各子機は、ＤＬ無線電波の出力を行いＵＬ光信号の親機３０１への出力は行わない。
【０１００】
その後、親機３０１は、リピータ２０１へのＤＬデータ６１１の到着の終了を検出する。そして、親機３０１は、ＤＬデータ６１１の到着の終了の検出により、リピータ２０１に対し前述の制御信号Ｓｕ１を送付する。制御信号Ｓｕ１により、リピータ２０１は、ＵＬ無線電波の出力を行いＤＬ電気信号の親機３０１への出力は行わない。
【０１０１】
親機３０１は、また、ＤＬデータ６１１の到着の終了のタイミングから処理遅延７０６だけ遅らせたタイミングで、各子機に対し、制御信号Ｓｕ２を送付する。制御信号Ｓｕ１により、各子機は、ＤＬ無線電波の出力を行いＵＬ光信号の親機３０１への出力を開始する。
【０１０２】
このように、ＤＡＳ３００は、リピータ２０１及び各子機の各々において、ＤＬデータの受信に連動して、ＤＬ期間とＵＬ期間とを切り替える。ここで、ＤＬ期間は、リピータ２０１及び各子機の各々において、ＤＬ信号に係る出力を行いＵＬ信号に係る出力を行わない期間である。また、ＵＬ期間は、ＵＬ信号に係る出力を行いＤＬ信号に係る出力を行わない期間である。このため、ＤＡＳ３００は、各基地局との距離の違いがあっても、ＤＬデータとＵＬデータとの衝突によるこれらのデータの欠損を抑え得る
なお、図８のケースでは、リピータ２０１及び各子機は、基地局によるＵＬデータ６１６の受信開始のタイミングより早いタイミングでＵＬデータ６１６の送付を開始している。これは、基地局が、ＵＬデータの受信とそれに続くＤＬデータの送信とが重ならないように各端末に指示したためである。
【０１０３】
以上の説明では、親機は、いずれの基地局からもＤＬ信号を受けていない期間のすべてをリピータにおけるＵＬ期間に設定した。しかしながら、親機は、いずれの基地局からもＤＬ信号を受けていない期間の一部をＵＬ期間に設定しても良い。当該場合は、例えば、ＤＬ期間とＵＬ期間との境に適当な間隔を設定することにより生じ得る。
【０１０４】
また、以上の説明では、親機は、いずれの基地局からもＤＬ信号を受けていない期間を処理遅延時間だけずらした期間のすべてを各子機におけるＵＬ期間に設定した。しかしながら、親機は、当該期間の一部をＵＬ期間に設定しても良い。当該場合は、例えば、ＤＬ期間とＵＬ期間との境に適当な間隔を設定することにより生じ得る。
［効果］
本実施形態のＤＡＳは、ＤＬデータを受信していない期間に限り、リピータから各基地局へのＵＬ無線電波の放出及び各子機における端末からのＵＬ無線電波の受信を行う。このため、前記ＤＡＳは、各基地局との距離の違いによる遅延のばらつきがあっても、ＤＬデータとＵＬデータと衝突によるこれらのデータの欠損を抑え得る。
＜第二実施形態＞
第二実施形態は、各基地局に割り当てられた周波数帯域の各々に対応する専用のリピータを基地局の数だけ備えるＤＡＳに関する実施形態である。
【０１０５】
図９は、第二実施形態の通信システムの例である通信システム９００ａの構成を表す概念図である。
【０１０６】
通信システム９００ａの説明は、以下を除いて、図１に表す通信システム９００の説明と同じである。ただし、図１についての説明において、通信システム９００、ＤＡＳ３００及び親機３０１の各々は、通信システム９００ａ、ＤＡＳ３００ａ及び親機３０２の各々と読み替える。また、図１についての説明と下記説明とが矛盾する場合は、下記説明を優先する。
【０１０７】
ＤＡＳ３００ａは、Ｚ台のリピータであるリピータ２０１乃至２０Ｚと、親機３０２と、Ｎ台の子機である子機４０１乃至４０Ｎと、Ｎ個のアンテナであるアンテナ５０１乃至５０Ｎとを備える。
【０１０８】
リピータ２０Ｘ（Ｘは１乃至Ｚ）は、図１に表す基地局１０Ｘに割り当てられた周波数帯域の無線電波を変換した電気信号のみを親機３０２に出力し得る。
【０１０９】
リピータ２０Ｘは、リピータ２０Ｘが備える図示しないアンテナに到達した無線電波を電気信号に変換する。そして、リピータ２０Ｘは、前記電気信号をリピータ２０Ｘに対応する基地局１０Ｘに割り当てられた周波数帯域のもののみに制限した制限ＤＬ電気信号を生成する。リピータ２０Ｘは、前記制限ＤＬ電気信号を、親機３０２に送付する。
【０１１０】
リピータ２０Ｘは、また、親機が送付するＵＬ電気信号に対し、親機３０２が指定するＵＬ期間に限り所定の処理を行う。そして、リピータ２０Ｘは、処理後のＵＬ電気信号をＵＬ無線電波に変換する。リピータ２０Ｘは、当該ＵＬ無線電波を周囲の無線空間に放出する。当該ＵＬ無線電波は、リピータ２０Ｘに対応する基地局１０Ｘに到達することが想定されている。
【０１１１】
親機３０２は、リピータ２０Ｘ（Ｘは１以上Ｚ以下の整数）のいずれかから制限ＤＬ電気信号を受けているか否かを判定する。当該判定結果には、各基地局とＤＡＳ３００ａとの間で生じる距離遅延の影響が反映されている。
【０１１２】
親機３０２は、制限ＤＬ電気信号を受けているか否かの判定結果に基づき、リピータ２０ＸにおけるＤＬ期間とＵＬ期間との切替えを指示する制御信号を、リピータ２０Ｘに送付する。
【０１１３】
当該制御信号は、例えば、ＤＬ期間であることを表す制御信号Ｓｄ１と、ＵＬ期間であることを表す制御信号Ｓｕ１とからなる。その場合、リピータ２０Ｘは、親機３０２から制御信号Ｓｄ１が送付されると、ＵＬ無線電波の出力を行わない。リピータ２０Ｘは、また、親機３０２から制御信号Ｓｕ１が送付されると、前記ＵＬ無線電波の出力を行う。リピータ２０Ｘは同様な動作を交互に繰り返す。
【０１１４】
親機３０２は、また、ＤＬ電気信号を受けているか否かの判定結果に基づいて、子機４０１乃至４０Ｎの各々（各子機）におけるＤＬ期間とＵＬ期間との切替えを指示する制御信号を、各子機に送付する。
【０１１５】
当該制御信号は、例えば、ＤＬ期間である旨を表す制御信号Ｓｄ２と、ＵＬ期間である旨を表す制御信号Ｓｕ２とからなる。制御信号Ｓｄ２及びＳｕ２の各々は、前述の制御信号Ｓｄ１及びＳｕ１の各々を送るタイミングから、親機３０２及び各子機における処理に要する時間（処理遅延）だけ遅れたタイミングで、各子機に送付される。
【０１１６】
図１０は、図９に表すリピータ２０Ｘ（Ｘは１以上Ｚ以下の整数）の例である、リピータ２０１ｂの構成を表す概念図である。
【０１１７】
リピータ２０１ｂは、アンテナ２０６と処理部２１１ａ及び２１１ｂと、スイッチ２１６ａと、フィルタ２２１を備える。
【０１１８】
アンテナ２０６は、到達した無線電波を電気信号に変換する。当該電気信号は、フィルタ２２１に到達する。
【０１１９】
アンテナ２０６は、また、処理部２１１ａから受けたＵＬ電気信号をＵＬ無線電波に変換する。そして、アンテナ２０６は、当該無線電波を、周囲の無線空間に放出する。
【０１２０】
フィルタ２２１は、アンテナ２０６から送付されたＤＬ電気信号の周波数帯域を、リピータ２０１ｂに対応する基地局に割り当てられた周波数帯域に制限した制限ＤＬ電気信号を生成する。
【０１２１】
処理部２１１ａは、スイッチ２１６ａの端子ＢからＵＬ電気信号が入力された場合には、当該ＵＬ電気信号に対して増幅等の処理を行う。処理部２１１ａは、当該処理後のＵＬ電気信号を、アンテナ２０６に入力する。
【０１２２】
処理部２１１ｂは、フィルタ２２１から送付された制限ＤＬ電気信号に増幅等の処理を行う。処理後の制限電気信号は、図１１に表す受信検知部３３１に入力される。
【０１２３】
スイッチ２１６ａの端子Ａは、親機３０１に接続されている。親機３０１における端子Ａの接続部分は、親機３０１が図１１を参照して後述する親機３０１ｂである場合には、図１１に表すフィルタ部３５６である。
【０１２４】
スイッチ２１６ａの端子Ｃは、親機３０１に接続されている。親機３０１における端子Ｃの接続部分は、親機３０１が図１１を参照して後述する親機３０２ａである場合には、図１１に表す制御部３３６である。
【０１２５】
スイッチ２１６ａは、親機３０１から端子ＣにＤＬ期間である旨を表す信号が入力されている場合は、端子Ａと端子Ｃとを導通させる。これにより、スイッチ２１６ａは、親機３０１から処理部２１１ａへの前記ＵＬ電気信号の送付を可能にする。
【０１２６】
スイッチ２１６ａは、親機３０１から端子ＣにＵＬ期間である旨を表す信号が入力されている場合は、端子Ａと端子Ｃとを絶縁させる。これにより、スイッチ２１６ａは、親機３０１から処理部２１１ａへの電気信号の送付を不能にする。
【０１２７】
スイッチ２１６ａは、例えば、電界効果トランジスタを備える構成である。
【０１２８】
図１１は、図９に表す親機３０２の例である親機３０２ａの構成を表す概念図である。
【０１２９】
親機３０２ａの説明は、次の説明を除いて、図３に表す親機３０１ａの説明と同じである。ただし、図３の説明において、親機３０１ａは親機３０２ａと読み替える。また、次の説明と図３の説明とが矛盾する場合は、次の説明を優先する。
【０１３０】
親機３０２ａは、ＭＩＸ部３１１及び３１２と、Ｚ個の受信検知部である受信検知部３３１乃至３３Ｚと、制御部３３６と、Ｎ個の光電変換部である光電変換部３２１乃至３２Ｎと、Ａ／Ｄ変換部３４１と、フィルタ部３５６とを備える。また、Ｚは、図１に表す基地局の数と等しい数である。
【０１３１】
受信検知部３３１乃至３３Ｚの各々（各受信検知部）は、図９に表すリピータ２０１乃至２０Ｚのうちの対応するものに接続されている。
【０１３２】
各受信検知部は、前述の制限ＤＬ電気信号が入力されているか否かを判定し、判定結果を制御部３３６に入力する。
【０１３３】
制御部３３６は、各受信検知部から入力された、制限ＤＬ電気信号が入力されているか否かの判定結果により、各リピータ及びＡ／Ｄ変換部３４１におけるＤＬ期間とＵＬ期間を設定する。
【０１３４】
当該ＤＬ期間は、各リピータに関しては、いずれかの受信検知部が前記制限ＤＬ電気信号を受けている期間である。また、当該ＵＬ期間は、各リピータに関しては、いずれの受信検知部も制限ＤＬ電気信号を受けていない期間である。
【０１３５】
また、当該ＤＬ期間は、各子機に関しては、例えば、各リピータに関するＤＬ期間を、処理による遅延時間（処理遅延）だけ遅れる方向にずらした期間である。また、当該ＵＬ期間は、各子機に関しては、例えば、各リピータに関するＵＬ期間を、処理遅延だけ遅れる方向にずらした期間である。当該処理遅延を、例えば、実際に運用してＵＬ／ＤＬデータの欠損の生じない値を経験等により予め定めておく。あるいは、当該処理遅延を、遅延測定回路を設けて測定しても構わない。当該測定方法は、例えば、制御部３３６が図５を参照して後述するＤｕｐｌｅｘｅｒ部４２１に送付した参照信号をＤｕｐｌｅｘｅｒ部４２１にループバックさせ、制御部３３６に戻るまでの時間から遅延を導出する方法である。
【０１３６】
制御部３３６は、各リピータ用に設定したＤＬ期間及びＵＬ期間により、各リピータに対し、前述の制御信号Ｓｄ１及びＳｕ１を送付する。制御部３３６は、また、Ａ／Ｄ変換部３４１用に設定したＤＬ期間及びＵＬ期間により、Ａ／Ｄ変換部３４１に対し、前述の制御信号Ｓｄ２及びＳｕ２を送付する。
【０１３７】
各リピータより送付された制限ＤＬ電気信号の各々はＭＩＸ部３１２にも入力される。
【０１３８】
ＭＩＸ部３１１は、各光電変換部から送付されたデジタルのＵＬ電気信号を合成する。ＭＩＸ部３１１は、合成後のデジタルのＵＬ電気信号を、フィルタ部３５６に送付する。
【０１３９】
フィルタ部３５６はＭＩＸ部３１１から送付された合成後のデジタルのＵＬ電気信号を、周波数帯域ごとに分離する。フィルタ部３５６は、分離した周波数帯域ごとのＵＬ電気信号の各々を、各周波数帯域に対応するリピータに送付する。各リピータにおける当該送付部分は、リピータが図１０に表すリピータ２０１ｂの場合は、スイッチ２１６ａの端子Ａである。
［効果］
第二実施形態のＤＡＳは、まず、第一実施形態のＤＡＳと同様の効果を奏する。
【０１４０】
第二実施形態のＤＡＳは、各周波数帯域に特化した専用のリピータを複数備える。そのため、第二実施形態のＤＡＳは、第一実施形態のＤＡＳと比較して、基地局との送受信の感度を向上させることがより容易である。
【０１４１】
図１２は、実施形態の中継装置の最小限の構成である中継装置３００ｘの構成を表すブロック図である。
【０１４２】
中継装置３００ｘは、第一通信部２０１ｘと、制御部３０１ｘと、第二通信部４０１ｘとを備える。
【０１４３】
第一通信部２０１ｘは、第一信号に係る無線電波である第一無線電波の受信と、第二信号に係る無線電波である第二無線電波の前記複数の基地局の少なくともいずれかに向けての放出とを行う。ここで、前記第一信号は、複数の基地局のうちの各々が端末に送付する信号である。また、前記第二信号は、前記端末が送付した信号である。
【０１４４】
ここで、第一通信部２０１ｘは、例えば、前述のリピータである。また、前記第一無線電波は、例えば、前述の、各基地局が放出するＤＬ無線電波である。また、前記第二無線電波は、前述のリピータが放出するＵＬ無線電波である。また、前記第一信号は、例えば、前述の、ＤＬ無線電波やＤＬ電気信号として搬送されるＤＬ信号である。また、前記第二信号は、例えば、前述のＵＬ無線電波やＵＬ電気信号やＵＬ光信号として搬送されるＵＬ信号である。
【０１４５】
制御部３０１ｘは、前記第一信号の受信がないことを判定した期間である第一期間の開始及び終了の各々を所定の時間だけ遅らせた期間である第二期間の一部又は全部である第三期間を指定する制御信号である第一制御信号を出力する。
【０１４６】
前記第一制御信号は、例えば、前述の、制御信号Ｓｄ２及びＳｕ２である。
【０１４７】
第二通信部４０１ｘは、前記第一信号に係る無線電波である第三無線電波の前記端末に向けての放出と、前記端末が放出する前記第二信号に係る無線電波である第四無線電波の受信とを切り替える。この際、第二通信部４０１ｘは、前記第四無線電波を受信する期間を、前記第一制御信号により、前記第三期間に設定する。
【０１４８】
ここで、第二通信部４０１ｘは、例えば、前述の各子機と各子機に対応する各アンテナとの各組合せである。また、第三無線電波は、例えば、当該組合せが放出する前述のＤＬ無線電波である。また、第四無線電波は、例えば、当該組合せが受信する前述のＵＬ無線電波である。
【０１４９】
中継装置３００ｘは、いずれかの基地局から前記第一信号の受信を実際に行っている期間は、前記端末からの前記第四無線電波の受信を行わない。
【０１５０】
このため、中継装置３００ｘは、各基地局との距離の違いがあっても、いずれかの前記基地局から送付される前記第一信号と前記端末から送付される前記第二信号とが衝突することにより生じうるデータ欠損を抑制し得る。
【０１５１】
そのため、中継装置３００ｘは、前記構成により、［発明の効果］の項に記載した効果を奏する。
【０１５２】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０１５３】
また、前記の実施形態の一部又は全部は、以下の付記のようにも記述され得るが、以下には限られない。
【０１５４】
（付記Ａ１）
複数の基地局のうちの各々が端末に送付する第一信号に係る無線電波である第一無線電波の受信と、前記端末が送付した第二信号に係る無線電波である第二無線電波の前記複数の基地局の少なくともいずれかに向けての放出とを行う、第一通信部と、
前記第一信号の受信がないことを判定した期間である第一期間の開始及び終了の各々を所定の時間だけ遅らせた期間である第二期間の一部又は全部である第三期間を指定する制御信号である第一制御信号を出力する制御部と、
前記第一信号に係る無線電波である第三無線電波の前記端末に向けての放出と、前記端末が放出する前記第二信号に係る無線電波である第四無線電波の受信とを切替え、前記第四無線電波を受信する期間を、前記第一制御信号により、前記第三期間に設定する、第二通信部と、
を備える、中継装置。
【０１５５】
（付記Ａ２）
前記所定の時間が、前記第一通信部、前記制御部及び前記第二通信部の少なくともいずれかにおける前記第一信号及び前記第二信号の少なくともいずれかに係る処理による遅延を反映した時間である、付記Ａ１に記載された中継装置。
【０１５６】
（付記Ａ３）
前記第一通信部が、前記第一無線電波を変換した電気信号を前記制御部に送付し、前記制御部は、前記電気信号の送付により、前記第一信号の受信の有無を判定する、付記Ａ１又は付記Ａ２に記載された中継装置。
【０１５７】
（付記Ａ４）
前記第一制御信号が、前記制御部から前記第二通信部に、光信号により送付される、付記Ａ１乃至付記Ａ３のうちのいずれか一に記載された中継装置。
【０１５８】
（付記Ａ５）
前記第一制御信号が、前記第一信号に重畳された光信号により送付される、付記Ａ４に記載された中継装置。
【０１５９】
（付記Ａ６）
前記複数の基地局の各々が前記第一通信部との間で行う通信に割り当てられた周波数帯域が互いに異なっている、付記Ａ１乃至付記Ａ５のうちのいずれか一に記載された中継装置。
【０１６０】
（付記Ａ７）
複数の前記第二通信部を備える、付記Ａ１乃至付記Ａ６のうちのいずれか一に記載された中継装置。
【０１６１】
（付記Ａ８）
前記第一信号の前記第一通信部から前記第二通信部への送付が、前記制御部を経由して行われる、付記Ａ１乃至付記Ａ７のうちのいずれか一に記載された中継装置。
【０１６２】
（付記Ａ９）
前記第二信号の前記第二通信部から前記第一通信部への送付が、前記制御部を経由して行われる、付記Ａ１乃至付記Ａ８のうちのいずれか一に記載された中継装置。
【０１６３】
（付記Ａ１０）
前記制御部と前記第二通信部との間の前記第一信号及び第二信号の送受が光信号により行われる、付記Ａ１乃至付記Ａ９のうちのいずれか一に記載された中継装置。
【０１６４】
（付記Ａ１１）
前記制御部が、前記第一期間の全部又は一部である第四期間を指定する制御信号である第二制御信号を出力し、前記第一通信部は、前記第二制御信号により、前記第四期間に限り、前記第二無線電波の放出を行う、付記Ａ１乃至付記Ａ１０のうちのいずれか一に記載された中継装置。
【０１６５】
（付記Ａ１２）
複数の前記第一通信部を備える、付記Ａ１乃至付記Ａ１１のうちのいずれか一に記載された中継装置。
【０１６６】
（付記Ａ１３）
前記第一通信部の各々が、前記複数の基地局に対応している、付記Ａ１２に記載された中継装置。
【０１６７】
（付記Ａ１４）
前記第一通信部の各々が、前記複数の基地局に割り当てられた周波数帯域に対応している、付記Ａ１２又は付記Ａ１３に記載された中継装置。
【０１６８】
（付記Ａ１５）
前記第一通信部の各々が、前記複数の基地局に割り当てられた周波数帯域の前記第一無線電波に係る前記第一信号を前記制御部に送付する、付記Ａ１２乃至付記Ａ１４のうちのいずれか一に記載された中継装置。
【０１６９】
（付記Ａ１６）
前記第一通信部がリピータである、付記Ａ１乃至付記Ａ１５のうちのいずれか一に記載された中継装置。
【０１７０】
（付記Ａ１７）
分散アンテナシステムである、付記Ａ１乃至付記Ａ１６のうちのいずれか一に記載された中継装置。
【符号の説明】
【０１７１】
１０１、１０Ｚ    基地局
２０１、２０１ａ、２０１ｂ    リピータ
２０１ｘ    第一通信部
２０６    アンテナ
２１１ａ、２１１ｂ、３７１ａ、３７１ｂ、４３１ａ、４３１ｂ、４５１ａ、４５１ｂ    処理部
２１６ａ、４５６ｂ    スイッチ
２２１    フィルタ
３００、３００ａ    ＤＡＳ
３０１、３０１ａ、３０２、３０２ａ    親機
３０１ｘ    制御部
３０６、３５６    フィルタ部
３１１、３１２    ＭＩＸ部
３２０    光電変換部
３２６    重畳部
３２０、３２１、３２Ｎ、４０６、４０６ａ    光電変換部
３３１、３３Ｚ    受信検知部
３３６    制御部
３４１、４１６    Ａ／Ｄ変換部
３４６、４４６    導光部
３５０、３５１、３５Ｎ    光ファイバ
３６１、４３６    受光部
３６６、４４１    発光部
４００、４０１、４０Ｎ    子機
４０１ｘ    第二通信部
４１１    ＴＸ処理部
４２１、４２１ａ    Ｄｕｐｌｅｘｅｒ部
４６１    信号分離部
５００、５０１、５０Ｎ    アンテナ
５５１    端末群
６０１    フレーム
６ＤＬ、６ＳＦ、６ＵＬ    サブフレーム
６１１    ＤＬデータ
６１６    ＵＬデータ
７０１    距離遅延
７０６    処理遅延
９００、９００ａ    通信システム
Ａ、Ｂ、Ｃ、Ｊ、Ｋ、Ｌ    端子
【図１】
2019050518.tif 000003
【図２】
2019050518.tif 000004
【図３】
2019050518.tif 000005
【図４】
2019050518.tif 000006
【図５】
2019050518.tif 000007
【図６】
2019050518.tif 000008
【図７】
2019050518.tif 000009
【図８】
2019050518.tif 000010
【図９】
2019050518.tif 000011
【図１０】
2019050518.tif 000012
【図１１】
2019050518.tif 000013
【図１２】
2019050518.tif 000014